(57)【特許請求の範囲】
【請求項１】
軸部と、前記軸部の先端部に設けられ径方向に弾性変形可能な矢尻部と、前記矢尻部よりも基端部側の前記軸部の部分に設けられ前記矢尻部に対向する脚部とを有した基板固定具に、取付孔が形成され前記取付孔に前記矢尻部が挿入されて前記矢尻部と前記脚部との間に挟まれることにより固定された基板を前記基板固定具から取り外す際に用いられる基板取外し治具であって、
前記矢尻部が挿入される筒部と、
前記矢尻部が引き抜かれた前記取付孔を塞ぐキャップ部材と、
前記矢尻部との間に前記キャップ部材を挟んだ状態で、前記矢尻部が前記取付孔から引き抜かれる方向に前記矢尻部を押圧する押圧部材と
を備え、
前記筒部は、前記筒部に前記矢尻部が挿入されることにより、前記矢尻部が前記取付孔を通過可能となるように、前記矢尻部を径方向について収縮させ、
前記キャップ部材は、前記押圧部材により前記矢尻部を前記取付孔から押し出しながら前記取付孔を塞ぐことを特徴とする基板取外し治具。
【請求項２】
軸部と、前記軸部の先端部に設けられ径方向に弾性変形可能な矢尻部と、前記矢尻部よりも基端部側の前記軸部の部分に設けられ前記矢尻部に対向する脚部とを有した基板固定具に、取付孔が形成され前記取付孔に前記矢尻部が挿入されて前記矢尻部と前記脚部との間に挟まれることにより固定された基板を前記基板固定具から取り外す基板取外し方法であって、
筒部に前記矢尻部が挿入されることにより、前記矢尻部が前記取付孔を通過可能となるように、前記矢尻部を径方向について収縮させる工程と、
前記矢尻部を径方向について収縮させる工程の後、押圧部材と前記矢尻部との間にキャップ部材が挟まれた状態で、前記矢尻部が前記取付孔から引き抜かれる方向に前記押圧部材が前記矢尻部を押圧し、前記キャップ部材が前記押圧部材により前記矢尻部を前記取付孔から押し出しながら前記取付孔を塞ぐ工程と
を備えたことを特徴とする基板取外し方法。
【発明の詳細な説明】
【技術分野】
【０００１】
この発明は、基板固定具に固定された基板を基板固定具から取り外す際に用いられる基板取外し治具に関する。
【背景技術】
【０００２】
従来、軸部と、軸部の先端部に設けられ径方向に弾性変形可能な矢尻部と、矢尻部よりも基端部側の軸部の部分に設けられ矢尻部に対向する脚部とを有した基板固定具に、取付孔を有する基板が取付孔に矢尻部が挿入されて矢尻部と脚部との間に基板が挟まれることにより固定された基板を基板固定具から取り外す際に用いられる基板取外し治具であって、矢尻部と脚部とに渡って設けられ、脚部が径方向に収縮することにより、矢尻部を径方向に収縮させる連結部を備えた基板取外し治具が知られている。作業者は、脚部を指で収縮させることにより矢尻部を収縮させた後、矢尻部を取付孔から引き抜くように基板を基板固定具から取り外す（例えば、特許文献１参照）。
【先行技術文献】
【特許文献】
【０００３】
【特許文献１】特開２００４−９２７１３号公報
【発明の概要】
【発明が解決しようとする課題】
【０００４】
しかしながら、脚部が基板の裏面側に配置されるので、基板の表面側から矢尻部を収縮させることができない。したがって、基板の裏面側に作業者の指を挿入するための空間がない場合には、基板を基板固定具から取り外すことができないという問題点があった。
【０００５】
この発明は、基板を基板固定具からより確実に取り外すことができる基板取外し治具を提供するものである。
【課題を解決するための手段】
【０００６】
この発明に係る基板取外し治具は、軸部と、前記軸部の先端部に設けられ径方向に弾性変形可能な矢尻部と、前記矢尻部よりも基端部側の前記軸部の部分に設けられ前記矢尻部に対向する脚部とを有した基板固定具に、取付孔が形成され前記取付孔に前記矢尻部が挿入されて前記矢尻部と前記脚部との間に挟まれることにより固定された基板を前記基板固定具から取り外す際に用いられる基板取外し治具であって、前記矢尻部が挿入される筒部と、前記矢尻部が引き抜かれた前記取付孔を塞ぐキャップ部材と、前記矢尻部との間に前記キャップ部材を挟んだ状態で、前記矢尻部が前記取付孔から引き抜かれる方向に前記矢尻部を押圧する押圧部材とを備え、前記筒部は、前記筒部に前記矢尻部が挿入されることにより、前記矢尻部が前記取付孔を通過可能となるように、前記矢尻部を径方向について収縮させ、前記キャップ部材は、前記押圧部材により前記矢尻部を前記取付孔から押し出しながら前記取付孔を塞ぐ。
【発明の効果】
【０００７】
この発明に係る基板取外し治具によれば、矢尻部が挿入される筒部を備え、筒部は、筒部に矢尻部が挿入されることにより、矢尻部が取付孔を通過可能となるように、矢尻部を径方向について収縮させるので、基板の表面側から矢尻部を収縮させて、矢尻部を取付孔から引き抜くように基板を基板固定具から取り外すことができる。その結果、基板を基板固定具からより確実に取り外すことができる。
【図面の簡単な説明】
【０００８】
【図１】この発明の実施の形態１に係る基板取外し治具を示す側面図である。
【図２】図１の基板取外し治具を用いてＰＣＢサポートから基板を取り外す手順を示す説明図である。
【図３】この発明の実施の形態２に係る基板取外し治具を示す側面図である。
【発明を実施するための形態】
【０００９】
以下、この発明の各実施の形態を図に基づいて説明するが、各図において、同一または相当の部材、部位については、同一符号を付して説明する。
【００１０】
実施の形態１．
図１はこの発明の実施の形態１に係る基板取外し治具を示す側面図である。図において、基板取外し治具は、基板１が固定されたＰＣＢサポート（基板固定具）２に取り付けられる基板取外し本体３と、作業者に把持される把持部４と、基板取外し本体３と把持部４とを連結する連結棒５と、基板１に取り付けられるキャップ部材６とを備えている。
【００１１】
基板１には、複数の取付孔１１が形成されている。取付孔１１は、基板１を貫通して形成されている。取付孔１１の径方向についての寸法Ａは、予め設定された値となっている。基板１としては、エレベータの制御基板、火災報知機の制御基板、エアコンの制御基板などが挙げられる。
【００１２】
ＰＣＢサポート２は、取付孔１１の数に対応して配置されている。ＰＣＢサポート２は、軸部２１と、軸部２１の先端部に設けられ、径方向に弾性変形可能な矢尻部２２と、矢尻部２２よりも基端部側の軸部２１の部分に設けられ、矢尻部２２に対向する脚部２３とを有している。矢尻部２２は、径方向に押圧されていない状態では、径方向の寸法が、取付孔１１よりも大きくなっている。また、矢尻部２２は、径方向に押圧されることにより、径方向の寸法が取付孔１１よりも小さくなるようになっている。基板１は、取付孔１１に矢尻部２２が挿入されて矢尻部２２と脚部２３との間に基板１が挟まれることにより、ＰＣＢサポート２に固定される。ＰＣＢサポート２は、土台７に固定されている。
【００１３】
基板取外し本体３は、矢尻部２２が挿入される筒部３１と、筒部３１に挿入された矢尻部２２が取付孔１１から引き抜かれる方向に押圧する押出部３２とを備えている。筒部３１は、内周面の径方向の寸法Ｂが、取付孔１１における径方向の寸法Ａよりも僅かに小さくなっている。これにより、筒部３１は、筒部３１に矢尻部２２が挿入されることにより、矢尻部２２が取付孔１１を通過可能となるように、矢尻部２２を径方向について収縮させる。また、筒部３１は、外周面の径方向の寸法Ｃが、取付孔１１における径方向の寸法Ａよりも僅かに大きくなっている。これにより、筒部３１が取付孔１１に挿入されることが防止される。
【００１４】
押出部３２は、筒部３１の矢尻部２２が挿入される開口部とは反対側の開口部を覆うように筒部３１に設けられている。この例では、筒部３１と押出部３２とが一体に形成されている。筒部３１の軸方向についての寸法Ｄは、筒部３１により収縮した状態の矢尻部２２における筒部３１の軸方向についての寸法よりも小さくなっている。これにより、筒部３１により矢尻部２２が収縮した状態で、筒部３１の先端部を基板１に当接させることにより、押出部３２は、矢尻部２２を取付孔１１から押し出される方向に押圧する。
【００１５】
キャップ部材６は、矢尻部２２が引き抜かれた取付孔１１を塞ぐようになっている。キャップ部材６は、例えば、シリコンゴムから構成されている。
【００１６】
次に、基板取外し治具を用いて、ＰＣＢサポート２から基板１を取り外す手順について説明する。図２は図１の基板取外し治具を用いてＰＣＢサポート２から基板１を取り外す手順を示す説明図である。図において、まず、筒部３１に矢尻部２２が挿入されるように基板取外し治具を基板１に近づける。これにより、矢尻部２２は、取付孔１１を通過可能となるように、径方向について収縮する。また、矢尻部２２は、押出部３２により、取付孔１１から押し出される方向に押圧される。その結果、矢尻部２２の最外周部分が取付孔１１に収容される。その後、作業者は、基板取外し治具を基板１に当接させた状態で、矢尻部２２を取付孔１１から引き抜くように基板１をＰＣＢサポート２から取り外す。
【００１７】
その後、矢尻部２２が引き抜かれた取付孔１１にキャップ部材６を挿入する。これにより、取付孔１１に矢尻部２２が再び挿入されることが防止される。全ての取付孔１１から矢尻部２２が引き抜かれると、基板１が土台７から切り離される。最後に、取付孔１１からキャップ部材６を引き抜き、基板取外し治具を用いてＰＣＢサポート２から基板１を取り外す手順が終了する。
【００１８】
以上説明したように、この発明の実施の形態１に係る基板取外し治具によれば、矢尻部２２が挿入される筒部３１を備え、筒部３１は、筒部３１に矢尻部２２が挿入されることにより、矢尻部２２が取付孔１１を通過可能となるように、矢尻部２２を径方向について収縮させるので、基板１の表面側から矢尻部２２を収縮させて、矢尻部２２を取付孔１１から引き抜くように基板１をＰＣＢサポート２から取り外すことができる。その結果、基板１をＰＣＢサポート２からより確実に取り外すことができる。
【００１９】
また、この基板取外し治具は、矢尻部２２が引き抜かれた取付孔１１を塞ぐキャップ部材６を備えているので、基板１に複数の取付孔１１が形成されている場合であって、既に何れかの取付孔１１から矢尻部２２が引き抜かれた状態で、まだ矢尻部２２が引き抜かれていない他の取付孔１１がある場合に、既に矢尻部２２が引き抜かれた取付孔１１に矢尻部２２が再び挿入されることを防止することができる。これにより、基板１の取外しの作業効率を向上させることができる。
【００２０】
実施の形態２．
図３はこの発明の実施の形態２に係る基板取外し治具を示す側面図である。図において、基板取外し治具は、キャップ部材６を収容する収容部３３と、収容部３３に収容されたキャップ部材６を押圧する押出棒（押圧部材）３４とを備えている。
【００２１】
収容部３３は、矢尻部２２が挿入される筒部３３１と、筒部３３１の矢尻部２２が挿入される開口部とは反対側の開口部を覆うように筒部３３１に設けられ、押出棒３４を案内するガイド部３３２とを有している。筒部３３１の径方向についての寸法は、実施の形態１に記載の筒部３１と同様である。ガイド部３３２には、筒部３３１の軸方向に延びた貫通孔３３３が形成されており、この貫通孔３３３に押出棒３４が挿入されている。キャップ部材６は、径方向に収縮した状態で筒部３３１に収容されている。筒部３３１に収容されたキャップ部材６は、押出棒３４により、筒部３３１の軸方向に移動可能となっている。押出棒３４は、押出棒３４と矢尻部２２との間にキャップ部材６を挟んだ状態で、矢尻部２２が取付孔１１から引き抜かれる方向に矢尻部２２を押圧する。その他の構成は、実施の形態１と同様である。
【００２２】
次に、基板取外し治具を用いて、ＰＣＢサポート２から基板１を取り外す手順について説明する。まず、筒部３３１に矢尻部２２が挿入されるように基板取外し治具を基板１に取り付ける。これにより、矢尻部２２は、取付孔１１を通過可能となるように、径方向について収縮する。
【００２３】
その後、押出棒３４を基板１に向かって押圧する。これにより、押出棒３４は、矢尻部２２との間にキャップ部材６を挟んだ状態で矢尻部２２を押圧する。その結果、キャップ部材６は、押出棒３４により矢尻部２２を取付孔１１から押し出しながら取付孔１１を塞ぐ。全ての取付孔１１から矢尻部２２が引き抜かれると、基板１が土台７から切り離される。最後に、取付孔１１からキャップ部材６を引き抜き、基板取外し治具を用いて、ＰＣＢサポート２から基板１を取り外す手順が終了する。
【００２４】
以上説明したように、この発明の実施の形態２に係る基板取外し治具によれば、矢尻部２２が取り出された取付孔１１を塞ぐキャップ部材６と、矢尻部２２との間にキャップ部材６を挟んだ状態で、矢尻部２２が取付孔１１から引き抜かれる方向に矢尻部２２を押圧する押出棒３４を備え、キャップ部材６は、押出棒３４により矢尻部２２を取付孔１１から押し出しながら取付孔１１を塞ぐので、取付孔１１から矢尻部２２を引き抜くと同時に取付孔１１にキャップ部材６を取り付けることができる。その結果、ＰＣＢサポート２から基板１を取り外す効率を向上させることができる。
【００２５】
なお、上記実施の形態２では、１個のキャップ部材６が筒部３３１に収容される構成について説明したが、複数のキャップ部材６が筒部３３１に収容される構成であってよい。
【符号の説明】
【００２６】
１  基板、２  ＰＣＢサポート（基板固定具）、３  基板取外し本体、４  把持部、５  連結棒、６  キャップ部材、７  土台、１１  取付孔、２１  軸部、２２  矢尻部、２３  脚部、３１  筒部、３２  押出部、３３  収容部、３４  押出棒（押圧部材）、３３１  筒部、３３２  ガイド部、３３３  貫通孔。
【図１】
0005847021.tif 000002
【図２】
0005847021.tif 000003
【図３】
0005847021.tif 000004